(57)【特許請求の範囲】
【請求項１】
潜像担持体と、
該潜像担持体の表面を一様に帯電し画像情報に基づいて該表面に光を照射することにより潜像を形成する潜像形成手段と、
該潜像担持体上の潜像を現像してトナー像とする現像装置と、
該潜像担持体上のトナー像を記録材に転写する転写装置とを備えており、
該現像装置は、該潜像担持体に対向する現像領域にトナーを搬送するトナー担持体と、該トナー担持体に現像バイアスを印加する現像電源とを有する画像形成装置において、
上記現像装置は、トナーとキャリアとを含む二成分現像剤を所定の撹拌領域で撹拌する撹拌部材と、該撹拌領域内の二成分現像剤中のトナーを担持して上記トナー担持体に対向するトナー供給領域に搬送し、トナーを該トナー担持体に供給するトナー供給部材と、該トナー供給領域に該トナー供給部材に担持されているトナーを該トナー担持体へ移動させるトナー供給電界を形成するためのトナー供給バイアスを該トナー供給部材に印加するトナー供給電源と、該撹拌部材と該トナー供給部材との間に該撹拌領域内のトナーを該トナー供給部材へ移動させるトナー移送電界を形成するためのトナー移送バイアスを該撹拌部材に印加するトナー移送電源とを有することを特徴とする画像形成装置。
【請求項２】
請求項１の画像形成装置において、
上記キャリアとして磁性粒子を用い、
上記トナー供給部材は、内部に磁界発生手段を備えており、該磁界発生手段が発生させる磁界の作用により上記撹拌部材で撹拌された二成分現像剤を担持するものであることを特徴とする画像形成装置。
【請求項３】
請求項１又は２の画像形成装置において、
上記トナー供給部材に担持されたトナーに圧力を加えて該トナーの帯電を促進させる帯電促進部材を有することを特徴とする画像形成装置。
【請求項４】
請求項３の画像形成装置において、
上記帯電促進部材は、上記トナー供給部材に対向配置されるローラ部材であることを特徴とする画像形成装置。
【請求項５】
請求項１乃至４のいずれか１項に記載の画像形成装置において、
上記潜像担持体の表面エネルギーを低減させる手段を有することを特徴とする画像形成装置。
【請求項６】
請求項１乃至５のいずれか１項に記載の画像形成装置において、
上記トナーとして、円形度が９０［％］以上９７［％］以下であるトナー粒子の含有率が８０％を超えるものを用いることを特徴とする画像形成装置。
【発明の詳細な説明】
【技術分野】
【０００１】
本発明は、複写機、プリンタ、ファクシミリなどの画像形成装置に関するものである。
【背景技術】
【０００２】
特許文献１には、潜像担持体に対向する現像領域にトナーを搬送するトナー担持体と、そのトナー担持体に現像バイアスを印加する現像電源とを備えた現像装置を有する画像形成装置が記載されている。この画像形成装置に設けられる現像装置は、トナーと磁性粒子（キャリア）とを含む二成分現像剤を撹拌部材で撹拌し、内部に磁界発生手段を備えたトナー供給部材でその二成分現像剤を担持する。そして、トナー供給部材は、担持した二成分現像剤をトナー担持体に対向するトナー供給領域へ搬送する。このトナー供給部材には、トナー供給バイアスが印加されており、このトナー供給バイアスと現像バイアスとの電位差により、トナー供給領域においてトナー供給部材からトナー担持体へトナーを移動させるトナー供給電界を形成する。これにより、トナー供給部材上の二成分現像剤中のトナーのみがトナー供給領域でトナー担持体上へ移動し、トナー担持体にトナーが供給される。トナー供給を受けたトナー担持体は、そのトナーを現像領域へ搬送し、現像バイアスにより現像領域に形成される現像電界によって潜像担持体上の静電潜像へトナーを付着させる。
【０００３】
【特許文献１】特開２００１−２７２８５７号公報
【発明の開示】
【発明が解決しようとする課題】
【０００４】
上記特許文献１に記載の画像形成装置において、トナー供給部材は、表面移動するスリーブと、その内部に固定配置された磁石部材とから構成されている。そして、トナー供給領域において、磁力により二成分現像剤中の磁性粒子（キャリア）を穂立ちさせて磁気ブラシを形成し、その磁気ブラシをトナー担持体表面に摺擦させながら、磁性粒子上に静電的に付着しているトナーをトナー供給電界によりトナー担持体へ供給する。
【０００５】
このトナー供給電界は、正規の帯電極性に帯電しているトナーをトナー担持体側へ移動させるものである。よって、トナー供給部材上の二成分現像剤中に逆帯電トナーが含まれていても、その逆帯電トナーはトナー供給電界によりトナー担持体側への移動が制限される。すなわち、トナー供給電界は、トナー担持体にトナーを供給するトナー供給機能のほか、トナー担持体に逆帯電トナーが供給されないようにするフィルタ機能の役割も果たす。
ところが、トナー供給電界のフィルタ機能だけでは、トナー担持体上に供給される逆帯電トナーの量を十分に低減させることができず、逆帯電トナーによる地汚れ等の不具合を十分に抑制することができないという問題があった。
【０００６】
本発明は、以上の問題に鑑みなされたものであり、その目的とするところは、二成分現像剤中のトナーのみを現像領域へ搬送して現像を行う構成において、トナー担持体上に供給される逆帯電トナーの量を、従来よりも低減させることができる画像形成装置を提供することである。
【課題を解決するための手段】
【０００７】
上記目的を達成するために、請求項１の発明は、潜像担持体と、該潜像担持体の表面を一様に帯電し画像情報に基づいて該表面に光を照射することにより潜像を形成する潜像形成手段と、該潜像担持体上の潜像を現像してトナー像とする現像装置と、該潜像担持体上のトナー像を記録材に転写する転写装置とを備えており、該現像装置は、該潜像担持体に対向する現像領域にトナーを搬送するトナー担持体と、該トナー担持体に現像バイアスを印加する現像電源とを有する画像形成装置において、上記現像装置は、トナーとキャリアとを含む二成分現像剤を所定の撹拌領域で撹拌する撹拌部材と、該撹拌領域内の二成分現像剤中のトナーを担持して上記トナー担持体に対向するトナー供給領域に搬送し、トナーを該トナー担持体に供給するトナー供給部材と、該トナー供給領域に該トナー供給部材に担持されているトナーを該トナー担持体へ移動させるトナー供給電界を形成するためのトナー供給バイアスを該トナー供給部材に印加するトナー供給電源と、該撹拌部材と該トナー供給部材との間に該撹拌領域内のトナーを該トナー供給部材へ移動させるトナー移送電界を形成するためのトナー移送バイアスを該撹拌部材に印加するトナー移送電源とを有することを特徴とするものである。
また、請求項２の発明は、請求項１の画像形成装置において、上記キャリアとして磁性粒子を用い、上記トナー供給部材は、内部に磁界発生手段を備えており、該磁界発生手段が発生させる磁界の作用により上記撹拌部材で撹拌された二成分現像剤を担持するものであることを特徴とするものである。
請求項３の発明は、請求項１又は２の画像形成装置において、上記トナー供給部材に担持されたトナーに圧力を加えて該トナーの帯電を促進させる帯電促進部材を有することを特徴とするものである。
また、請求項４の発明は、請求項３の画像形成装置において、上記帯電促進部材は、上記トナー供給部材に対向配置されるローラ部材であることを特徴とするものである。
また、請求項５の発明は、請求項１乃至４のいずれか１項に記載の画像形成装置において、上記潜像担持体の表面エネルギーを低減させる手段を有することを特徴とするものである。
また、請求項６の発明は、請求項１乃至５のいずれか１項に記載の画像形成装置において、上記トナーとして、円形度が９０［％］以上９７［％］以下であるトナー粒子の含有率が８０％を超えるものを用いることを特徴とするものである。
【０００９】
本発明においては、撹拌部材で撹拌された二成分現像剤中のトナーをトナー移送電界によりトナー供給部材上に移動させた後、トナー供給部材上に担持されたトナーをトナー供給電界によりトナー担持体上へ移動させる。これらのトナー移送電界及びトナー供給電界は、正規の帯電極性に帯電しているトナーを移動させるものであるため、逆帯電トナーの移動は制限される。すなわち、これらの電界は、トナー移送領域又はトナー供給領域において逆帯電トナーが移動しないようにするフィルタ機能の役割を果たす。本発明においては、このように正規帯電トナーと逆帯電トナーとを仕分けする箇所が少なくとも２箇所（トナー移送領域及びトナー供給領域）は存在する。よって、このような箇所が１箇所しかない従来構成に比べて、トナー担持体上に供給される逆帯電トナーの量を減らすことができる。
【発明の効果】
【００１０】
本発明によれば、二成分現像剤中のトナーのみを現像領域へ搬送して現像を行う構成において、トナー担持体上に供給される逆帯電トナーの量を、従来よりも低減させることができるという優れた効果が奏される。
【発明を実施するための最良の形態】
【００１１】
〔実施形態１〕
以下、本発明を、画像形成装置としての電子写真式レーザプリンタ（以下、「プリンタ」という。）に適用した一実施形態（以下、本実施形態を「実施形態１」という。）について説明する。
図２は、本実施形態１に係るプリンタ全体の概略構成を示す説明図である。
このプリンタは、潜像担持体としてのドラム状の感光体１の周辺に、感光体１の表面を一様帯電する帯電装置２、画像情報に基づいて変調されたレーザー光線等を感光体１に照射する露光装置３、感光体１に形成された静電潜像に対し現像ローラ４０２上の帯電トナーを付着させることでトナー像を形成する現像装置４、感光体１上に形成されたトナー像を記録材としての転写紙２０に転写する転写装置５、転写後に感光体１上に残ったトナーを除去するクリーニング装置６等が順に配設されている。また、感光体１上に静電潜像を形成する潜像形成手段は、上記帯電装置２及び露光装置３により構成されている。
また、図示しない給紙トレイ等から転写紙を給紙・搬送する図示しない給紙搬送装置と、転写装置５で転写されたトナー像を転写紙２０に定着する図示しない定着装置とが備えられている。
【００１２】
なお、上記プリンタを構成する複数の装置の一部は、プリンタ本体に対して着脱可能に一体構造物（ユニット）として構成してもよい。例えば、図３に示すように、感光体１と帯電装置２と現像装置４とクリーニング装置６とを、プリンタ本体に対して着脱可能に、一体構造物である画像形成プロセスユニットとして構成してもよい。
【００１３】
上記構成のプリンタにおいて、矢印ａ方向に回転する感光体１の表面は、帯電装置２で一様帯電された後、画像情報に基づいて変調されたレーザー光線が感光体軸方向にスキャンされて照射される。これにより、感光体１上に静電潜像が形成される。感光体１上に形成された静電潜像は、現像領域Ａ１において、現像装置４により帯電したトナーを付着させることで現像され、トナー像となる。一方、転写紙２０は図示しない給紙搬送装置で給紙・搬送され、レジストローラ７により所定のタイミングで感光体１と転写装置５とが対向する転写部に送出・搬送される。そして転写装置５により、転写紙２０に感光体１上のトナー像とは逆極性の電荷を付与することで、感光体１上に形成されたトナー像が転写紙２０に転写される。次いで、転写紙２０は、感光体１から分離され、図示しない定着装置に送られ、該定着装置でトナー像が定着された転写紙２０が出力される。転写装置５でトナー像が転写された後の感光体１の表面は、クリーニング装置６でクリーニングされ、感光体１上に残ったトナーが除去される。
【００１４】
上記感光体１はアルミ等の素管に感光性を有する無機又は有機感光体を塗布し、感光層を形成したものであるが、厚みの比較的薄いポリエチレンテレフタレート（ＰＥＴ）、ポリエチレンナフタレート（ＰＥＮ）、ニッケル等に感光層を形成したベルト感光体を使用することも可能である。なお、本実施形態１では負極性に一様帯電する感光体１を使用しているが、トナーの帯電極性等との関係を考慮し必要に応じて正極性に一様帯電するものを使用してもよい。
また、本実施形態１の感光体１の直径は５０［ｍｍ］であり、線速２００［ｍｍ／ｓｅｃ］で回転駆動している。
【００１５】
本実施形態１では、感光体１と現像装置４の現像ローラ４０２とは、現像ローラ４０２上のトナー層を介して当接している。感光体１に対する現像ローラ４０２の押圧方法はバネで当接させるのが良好で、特に複数のバネで当接させると当接ムラを低減させることが可能である。この当接用バネはコイルバネ、板バネ等が使用可能である。また、現像ローラ４０２の表面部の硬度（ＪＩＳ−Ａ）で３０［゜］とすると、現像ローラ４０２の感光体１に対する当接線圧は９．８［Ｎ／ｍ］以上１２８［Ｎ／ｍ］以下（１［ｇｆ／ｍｍ］以上１６［ｇｆ／ｍｍ］以下）の範囲が好ましい。また、上記現像ローラ４０２の押圧手段の数は多い程圧が分散されるので当接ムラを低減できるので、良好である。
【００１６】
次に、本発明の特徴部分である、現像装置の詳細について説明する。
図１は、現像装置４の概略構成を示す説明図である。
この現像装置４のケーシング４０１の内部には、感光体１側から、トナー担持体としての現像ローラ４０２、トナー供給部材としてのブラシローラ４０３、撹拌搬送部材４０４，４０５が配設されている。ケーシング４０１内のトナー１０とキャリアである磁性粒子１１とを含む二成分現像剤（以下、単に「現像剤」という。）１２は、撹拌搬送部材４０４，４０５で撹拌され、第１撹拌搬送部材４０４で撹拌搬送中の現像剤１２の一部がブラシローラ４０３上に担持される。ブラシローラ４０３上の現像剤１２は、トナー供給領域Ａ２で現像ローラ４０２に接触する。このトナー供給領域Ａ２でブラシローラ４０３上の現像剤１２からトナー１０のみが分離されて現像ローラ４０２に供給される。
【００１７】
本実施形態１の現像装置では、アルミ素管をベースとした剛体のドラム状の感光体１を用いているので、現像ローラ４０２はゴム材料が良好で、硬度は１０［゜］以上７０［゜］以下（ＪＩＳ−Ａ）の範囲が良好である。また、現像ローラ４０２の直径は１０［ｍｍ］以上３０［ｍｍ］以下が好適である。本実施形態１では直径１６［ｍｍ］のものを用いた。また、現像ローラ４０２の表面は適宜あらして粗さＲｚ（十点平均粗さ）を１［μｍ］以上４［μｍ］以下とした。この表面粗さＲｚの範囲は、トナー１０の体積平均粒径に対して１３［％］以上８０［％］以下となり、現像ローラ４０２の表面に埋没することなくトナー１０が搬送される範囲である。ここで、現像ローラ４０２のゴム材料として使用できるものとしてシリコン、ブタジエン、ＮＢＲ、ヒドリン、ＥＰＤＭ等を挙げることができる。また、いわゆるベルト感光体を使用した場合には、現像ローラ４０２の硬度は低くする必要がないので、金属ローラ等も使用可能である。また、上記現像ローラ４０２の表面には、経時品質を安定化させるために適宜コート材料を被覆することが有好である。また、本実施形態１における現像ローラ４０２の機能はトナーを担持するためだけのものであり、従来の一成分現像装置のようにトナー１０と現像ローラ４０２との摩擦帯電によるトナー１０への帯電電荷付与の必要がないために、現像ローラ４０２は電気抵抗、表面性、硬度と寸法精度を満たせば良く、材料の選択幅は格段に広がることとなる。
【００１８】
なお、本実施形態１では、現像ローラ４０２上のトナーを感光体１の表面に接触させながら現像を行う接触現像方式を採用するが、現像ローラ４０２上のトナーを感光体１の表面に接触させずに現像を行う非接触現像方式を採用してもよい。非接触現像方式では、現像ローラ４０２が感光体１の表面を接触することはないので、現像ローラを硬度が７０［゜］以上の比較的硬い金属材料等で形成することも可能である。なお、非接触現像方式を採用する場合、現像ローラ４０２と感光体１との距離は３０［μｍ］以上１５０［μｍ］以下の範囲内に設定する。本実施形態１では、感光体１の線速が２００［ｍｍ／ｓ］であり、現像ローラ４０２の線速が３００［ｍｍ／ｓ］である。
【００１９】
上記現像ローラ４０２の表層コート材料は、帯電がトナー１０と逆極性でも良いし、トナーを所望の極性に摩擦帯電する機能を持たせない場合は同極性でも良い。前者の表層コート材料としては、シリコン、アクリル、ポリウレタン等の樹脂、ゴムを含有する材料を挙げることができる。また後者の表層コート材料としては、フッ素を含有する材料を挙げることができる。フッ素を含んだいわゆるテフロン（登録商標）系材料は表面エネルギーが低く、離型性が優れるため、経時におけるトナーフィルミングが極めて発生しにくい。また、上記表層コート材料に用いることができる一般的な樹脂材料として、ポリテトラフルオロエチレン（ＰＴＦＥ）、テトラフルオロエチレンパーフルオロアルキルビニールエーテル（ＰＦＡ）、テトラフルオロエチレン・ヘキサフルオロプロピレン重合体（ＦＥＰ）、ポリクロロトリフルオロエチレン（ＰＣＴＦＥ）、テトラフルオロエチレン・エチレン共重合体（ＥＴＦＥ）、クロロトリフルオロエチレン・エチレン共重合体（ＥＣＴＦＥ）、ポリビニリデンフルオライド（ＰＶＤＦ）、ポリビニルフルオライド（ＰＶＦ）等を挙げることができる。これに導電性を得るために適宜カーボンブラック等の導電性材料を含有させることが多い。更に均一に現像ローラ４０２にコートできるように、他の樹脂を混ぜ合わせることもある。電気抵抗に関してはコート層を含めてバルクの体積抵抗率を設定するもので、１０3［Ω・ｃｍ］以上１０8［Ω・ｃｍ］以下に設定できるようにベース層の抵抗と調整を行う。本実施形態１で使用するベース層の体積抵抗率は１０3［Ω・ｃｍ］以上１０5［Ω・ｃｍ］以下なので、表層の体積抵抗率は少し高めに設定することがある。ただし、非接触現像方式を採用する場合には、接触による電荷リークの心配が少ないので、電界強度を高めるために、１０3［Ω・ｃｍ］未満の体積抵抗率に設定することも可能である。
【００２０】
上記現像ローラ４０２の表面部の体積抵抗率は、図４（ａ）及び（ｂ）に示す方法で測定したものである。まず、測定対象の現像ローラ４０２を、接地された導電性のベース板３００上にセットし、現像ローラ４０２の芯金（回転軸）４０２ａの両端にそれぞれにＦ＝４．９［Ｎ］（５００［ｇｆ］）の荷重をかけ、全体でＦ＝９．８［Ｎ］（１［ｋｇｆ］）の荷重をかける。これにより、図４（ｂ）に示すようにベース板３００との間にニップＷを形成する。現像ローラ４０２の芯金４０２ａには、電流計３０１を介して直流電源３０２を接続する。そして、直流電圧Ｖ（＝１［Ｖ］）を印加し、そのときの電流値Ｉ［Ａ］を読み取る。この印加電圧値Ｖ［Ｖ］及び電流値Ｉ［Ａ］の測定値と、各種寸法Ｌ１［ｃｍ］、Ｌ２［ｃｍ］及びＷ［ｃｍ］の測定値とを用いて、次式（１）により現像ローラ４０２の弾性層４０２ｂの体積抵抗率ρｖを求める。
ρｖ＝（Ｖ／Ｉ）×（Ｌ１×Ｗ）／Ｌ２  ・・・（１）
【００２１】
また、上記現像ローラ４０２のコート層の厚みは５［μｍ］以上５０［μｍ］以下の範囲が良好で、５０［μｍ］を越えるコート層の硬度とベース層の硬度差が大きい場合で応力が発生した時にひび割れ等の不具合が生じやすくなる。また、５［μｍ］を下回ると表面磨耗が進むとベース層の露出が発生してトナーが付着しやすくなる。
【００２２】
上記現像剤１２を構成するトナー１０は、ポリエステル、ポリオール、スチレンアクリル等の樹脂に帯電制御剤（ＣＣＡ）及び色剤を混合したものであり、その周りにシリカ、酸化チタン等の外添剤を添加することで流動性を高めている。添加剤の粒径は通常０．１［μｍ］以上１．５［μｍ］以下の範囲である。色剤としてはカーボンブラック、フタロシアニンブルー、キナクリドン、カーミン等を挙げることができる。トナー１０は更に場合によってはワックス等を分散混合させた母体トナーに上記種類の添加剤を外添しているものも使用することができる。
トナー１０の体積平均粒径は３［μｍ］以上１２［μｍ］以下の範囲が好適である。本実施形態１で用いたトナー１０の体積平均粒径は７［μｍ］であり、１２００［ｄｐｉ］以上の高解像度の画像にも十分対応することが可能である。
また、本実施形態１では、帯電極性が負極性のトナー１０を使用しているが、感光体１の帯電極性などに応じて帯電極性が正極性のトナーを使用してもよい。
【００２３】
また、本実施形態１で用いるトナーは、円形度が９０［％］以上９７［％］以下であるトナー粒子の含有率が８０％を超えるものを用いる。トナーの円形度とは、トナーの形状がどのくらい真球に近いものかを示す数値であり、真球であれば「１」となる。この円形度は、トナーの投影画像の面積と同じ面積をもつ円の円周長をその投影画像の周囲長で割ることで得た値をいう。９０［％］以上９７［％］以下の高い円形度をもつトナーは、重合法等によって作成することが可能である。一方、従来から用いられている粉砕法等によって形成されるトナーは、その表面にランダムな凹凸が存在するため、その円形度は全体的に低いものとなる。このように表面にランダムな凹凸が存在すると、現像装置内での撹拌時やドクタ通過時における摩擦帯電による各トナーの帯電量が現像剤中のトナー間で大きく異なることになる。その結果、現像剤中におけるトナーの帯電分布が広がってしまい、逆帯電トナーの量の増加を引き起こす。これに対し、本実施形態１で用いるトナーは、円形度が９０［％］以上９７［％］以下であるトナー粒子の含有率が８０％を超えており、形状が真球に近くかつ表面がなめらかな状態であって凹凸が少ないトナーが多い。そのため、摩擦帯電によるトナーの帯電量の差が現像剤中のトナー間で小さくなるので、トナーの帯電分布が狭くなり、逆帯電トナーの量が比較的少ない。
【００２４】
ここで、トナーの円形度は、株式会社ＳＹＳＭＥＸ製フロー式粒子像分析装置ＦＰＩＡ−２１００を用いて、次の方法により測定したものである。
まず、１級塩化ナトリウムを用いて、１［％］のＮａＣｌ水溶液を調整する。その後、このＮａＣｌ水溶液を０．４５のフィルターを通して５０〜１００［ｍｌ］の液を得て、これに分散剤として界面活性剤、好ましくはアルキルベンゼンスルフォン酸塩を０．１〜５［ｍｌ］加え、更に試料を１〜１０［ｍｇ］加える。これを、超音波分散機で分散処理を１分間行い、粒子濃度を５０００〜１５０００［個／μｌ］に調整し、分散液を得る。そして、この分散液をＣＣＤカメラで撮像し、トナーの２次元投影画像の面積と同じ面積をもつ円の円周長を、そのトナーの２次元投影画像の周囲長で割った値を各トナーの円形度として用いた。なお、ＣＣＤの画素の精度から、トナーの２次元投影画像の面積と同じ面積をもつ円の直径（円相当径）が０．６［μｍ］以上であるトナーを有効なものとした。
【００２５】
上記磁性粒子１１は金属もしくは樹脂をコアとしてフェライト等の磁性材料を含有し、表層はシリコン樹脂等で被覆されたものである。磁性粒子１１の粒径は２０［μｍ］以上５０［μｍ］以下の範囲が好適である。また、磁性粒子１１の抵抗は、ダイナミック抵抗ＤＲで１０4［Ω］以上１０8［Ω］以下の範囲が好適である。
ここで、上記磁性粒子１１のダイナミック抵抗ＤＲの測定は、図５に示す測定装置を用いて次のように行った。まず、接地した台座２００の上方に、固定磁石を所定位置に内蔵した直径φ２０［ｍｍ］の回転可能なスリーブ２０１をセットする。このスリーブ２０１の表面には、幅Ｗ＝６５［ｍｍ］及び長さＬ＝０．５〜１［ｍｍ］の対向面積を有する対向電極（ドクタ）２０２を、ギャップｇ＝０．９［ｍｍ］で対向させる。次に、スリーブ２０１を回転速度６００［ｒｐｍ］（線速６２８［ｍｍ／ｓｅｃ］）で回転駆動し始める。そして、回転しているスリーブ２０１上に測定対象の磁性粒子を所定量（１４［ｇ］）だけ担持させ、スリーブ２０１の回転により磁性粒子を１０分間撹拌する。次に、スリーブ２０１に電圧を印加しない状態で、スリーブ２０１と対向電極２０２との間を流れる電流Ｉoff［Ａ］を電流計２０３で測定する。次に、直流電源２０４からスリーブ２０１に耐圧上限レベル（高抵抗シリコンコートキャリアでは４００［Ｖ］から鉄粉キャリアでは数［Ｖ］）の印加電圧ＥＶを５分間印加する。本実施形態１では２００［Ｖ］を印加した。そして、電圧Ｅを印加した状態でスリーブ２０１と対向電極２０２との間を流れる電流Ｉon［Ａ］を電流計２０３で測定する。これらの測定結果から、次式（２）を用いてダイナミック抵抗ＤＲ［Ω］を算出する。
ＤＲ＝Ｅ／（Ｉon−Ｉoff）  ・・・（２）
【００２６】
次に、上記ブラシローラ４０３について説明する。
図６は、ブラシローラ４０３周辺の概略構成を示す説明図である。
本実施形態１のブラシローラ４０３は、図中矢印ｃの方向に回転駆動されるスリーブ４０８と、その内部に固定配置された磁界発生手段としての磁石部材４０７と、スリーブ４０８上の導電性繊維材料で形成された多数のブラシ４１１とから構成されている。スリーブ４０８の径は、本実施形態１では１８［ｍｍ］である。磁石部材４０７は、ブラシローラ４０３の回転順序に沿って、Ｎ極（Ｎ１）、Ｓ極（Ｓ１）、Ｎ極（Ｎ２）、Ｓ極（Ｓ２）の４つの磁極を備えたものである。なお、磁石部材４０７の磁極配置はこれに限定されるものではない。ブラシ４１１は、スリーブ４０８の表面に植毛されたものであり、そのブラシ長は８［ｍｍ］である。このブラシ４１１としては、ブラシ径が１［デニール］以上６［デニール］以下であるのが好適であり、ブラシ密度が５００００［本／ｉｎｃｈ2］以上１００、０００［本／ｉｎｃｈ2］以下であるのが好適であり、その電気特性については印加電圧が５００［Ｖ］の時の抵抗値が１０3［Ω・ｃｍ］以上１０7［Ω・ｃｍ］であるのが好適である。
なお、ブラシ材料に磁性体を含有もしくは付着させて、磁性粒子１１を含む現像剤１２のブラシローラ４０３による搬送力を高めることもできる。
【００２７】
撹拌搬送部材４０４，４０５によりトナー１０と磁性粒子１１とが混合、撹拌された現像剤１２は、第１撹拌搬送部材４０４による撹拌領域において上記磁石部材４０７の磁力により、ブラシローラ４０３上に汲み上げられて担持される。そして、ブラシローラ４０３上に担持された現像剤１２中のトナー１０は、ブラシローラ４０３の回転に伴って、磁性粒子１１及びブラシ４１１と接触することで摩擦帯電され、規定の帯電量に帯電される。このブラシローラ４０３上におけるトナー１０の帯電量としては、−１０［μＣ／ｇ］以上−４０［μＣ／ｇ］以下の範囲が好適である。
【００２８】
ブラシローラ４０３は、スリーブ４０８内の磁極Ｎ２に近接するトナー供給領域Ａ２でブラシ４１１が現像ローラ４０２と接触するように配置されている。ブラシローラ４０３のスリーブ４０８は、図示しない回転駆動装置により図中矢印ｃの方向に回転駆動される。よって、トナー供給領域Ａ２においては、図中矢印ｂの方向に回転駆動する現像ローラ４０２とブラシローラ４０３とが互いに逆方向に表面移動するようになる。トナー供給領域Ａ２における現像ローラ４０２とブラシローラ４０３のスリーブ４０８とのギャップは、０．４［ｍｍ］に設定されている。
【００２９】
また、現像ローラ４０２の軸部には、現像領域Ａ１に現像電界を形成するための現像バイアスＶｂを印加する現像電源４０９が接続されている。また、ブラシローラ４０３のスリーブ４０８には、トナー供給領域Ａ２にトナー供給電界を形成するためのトナー供給バイアスＶｓを印加するトナー供給電源４１０が接続されている。本実施形態１では、トナー１０が負極性に帯電しているので、このトナー供給電界は、負極性のトナーがブラシローラ４０３から現像ローラ４０２へ移動するように形成される。具体的には、本実施形態１の現像バイアスＶｂは−４００［Ｖ］であるので、トナー供給バイアスＶｓは現像バイアスＶｂよりも例えば５０［Ｖ］以上１００［Ｖ］以下の範囲で大きい値、すなわち−４５０［Ｖ］以上−５００［Ｖ］以下に設定される。
【００３０】
次に、現像装置４の動作を説明する。
ケーシング４０１内に収容された現像剤１２中のトナー１０は、撹拌搬送部材４０４，４０５による撹拌作用や、ブラシローラ４０３の回転及び磁石部材４０７の磁力による撹拌作用を受けて、磁性粒子１１やブラシ４１１と摩擦帯電する。そして、ブラシローラ４０３上に担持された現像剤１２中の一定量のトナー１０は、トナー供給領域Ａ２でトナー供給電界の作用を受けることにより現像剤１２から分離して現像ローラ４０２へ移動し、残りはケーシング４０１内に戻される。これにより、現像ローラ４０２上には薄層状のトナー１０が担持される。その後、現像ローラ４０２上に担持された薄層状のトナー１０は、現像ローラ４０２の回転に伴って現像領域Ａ１へ搬送され、現像電界の作用を受けて感光体１上の静電潜像に選択的に付着し、静電潜像が現像される。
【００３１】
以上の構成を有する現像装置において、ブラシローラ４０３はその表面にブラシ４１１が形成されたブラシ部材である。これにより、ブラシローラ４０３上に現像剤１２を担持したときに、ブラシ４１１の毛がその現像剤１２中に介在する結果、磁石部材４０７の磁力で形成された磁気ブラシの凝集密度を低下させることができる。よって、ブラシ４１１がない場合に比べて磁気ブラシの硬さは従来よりも柔らかくなり、トナー供給領域でトナー１０が受ける機械的ストレスを低下させることができる。また、本実施形態１では、トナー供給領域において磁気ブラシとともにブラシ４１１も現像ローラ４０２を摺擦するので、トナー１０はブラシ４１１と現像ローラ４０２の表面との間でも機械的ストレスを受ける。しかし、ブラシ４１１の硬さは磁気ブラシに比べてずっと柔らかく設定されているので、ブラシ４１１による機械的ストレスは磁気ブラシによる機械的ストレスに比べてずっと小さい。したがって、本実施形態１によれば、トナー供給領域でトナー１０が受ける機械的ストレスは、ブラシ４１１がない場合に比べてずっと少なく抑えることができる。
【００３２】
〔変形例１〕
次に、上記実施形態１の変形例について説明する。
本変形例は、感光体１の表面の最大静止摩擦係数μが０．１以上０．４以下の範囲に維持されるように、感光体１の表面に所定のタイミングで潤滑剤を塗布するというものである。この潤滑剤を塗布する方法としては、従来から公知の方法を採用することができる。例えば、一定枚数おきに直接塗布したり、又は潤滑剤を担持した部材を常時又は一定枚数おきに感光体に当接させて塗布したりする。このように感光体１の表面に潤滑剤を塗布することにより、感光体１の表面の最大静止摩擦係数μを０．１〜０．４の範囲に維持することが可能となる。なお、潤滑剤を感光体１の表面に塗布する代わりに、感光体１の表面を構成する表面層自体に予め潤滑剤を入れておくことにより、最大静止摩擦係数μを０．１以上０．４以下の範囲に維持するようにしてもよい。このような範囲に最大静止摩擦係数μを維持することで、感光体１の表面に付着したトナーに働く機械的な力を低下させることができる。その結果、感光体１上のトナーの挙動を電界作用により精度よく制御することが可能となり、地汚れの抑制効果が高まる。
【００３３】
図７は、感光体１の最大静止摩擦係数μを測定するための測定システムを示す説明図である。
上記感光体１の最大静止摩擦係数μは、この測定システムを用いて測定したものである。まず、用紙（株式会社リコー製、ＴＹＰＥ６２００、Ａ４サイズ、Ｔ目）を２９７ｍｍ×３０ｍｍに切り、両端に糸１０１をつけて測定紙片１００を作成する。この測定紙片１００の特性は、下記の表１のとおりである。
【表１】
0004815168.tif 000002
【００３４】
次に、テーブル１０２上の支持部材１０３にセットした感光体１の上に、上記測定紙片１００を裏面が接触するように載せて、測定紙片１００の一方の糸１０１に０．９８［Ｎ］（＝１００［ｇ重］）の重り１０４をつけ、もう一方の糸１０１をデジタルフォースゲージ（デジタルプッシュプルゲージ）１０５に接続する。そして、上記重り１０４で測定紙片１００を引っ張り、測定紙片１００が動き出した時のゲージ１０５の値を読む。このときの値をＦ［Ｎ］とすると、最大静止摩擦係数μは次式（３）で求められる。
μ＝｛ｌｎ（Ｆ／０．９８）｝／（π／２）  ・・・（３）
【００３５】
感光体１の表面に潤滑剤を塗布しない場合の感光体１の最大静止摩擦係数μの測定値は０．５〜０．６であり、その最大静止摩擦係数μは、感光体１の経時使用によって増加する傾向にあることが確認された。これに対し、潤滑剤を塗布した感光体１の最大静止摩擦係数μの測定値は、０．１以上０．４以下の範囲であり、感光体１の経時使用によってもこの範囲内に維持されることが確認された。
【００３６】
〔実施形態２〕
次に、本発明を、上記実施形態１と同様に画像形成装置としてのプリンタに適用した他の実施形態（以下、本実施形態を「実施形態２」という。）について説明する。なお、本実施形態２におけるプリンタの基本構成は、現像装置を除いて上記実施形態１と同様であるので、以下、現像装置についてのみ説明する。
【００３７】
図８は、本実施形態２の現像装置におけるブラシローラ周辺の概略構成を示す説明図である。
本実施形態２のブラシローラ５０３は、内部に磁石部材を有していないローラ部材の表面に、上記実施形態１と同様にブラシ４１１を植毛したものである。トナー供給電源４１０は、ブラシローラ５０３の軸部に接続されている。このブラシローラ５０３のローラ部分の径は、本実施形態２では１８［ｍｍ］である。このブラシ４１１は、上記実施形態１のものと同様に、そのブラシ径が１［デニール］以上６［デニール］以下であるのが好適であり、ブラシ密度が５００００［本／ｉｎｃｈ2］以上１００、０００［本／ｉｎｃｈ2］以下であるのが好適であり、その電気特性については印加電圧が５００［Ｖ］の時の抵抗値が１０3［Ω・ｃｍ］以上１０7［Ω・ｃｍ］であるのが好適である。ただし、ブラシ表面にコート層を形成しても良い。
【００３８】
本実施形態２においては、第１撹拌搬送部材４０４は導電性部材で構成されている。そして、この第１撹拌搬送部材４０４には、ブラシローラ５０３と第１撹拌搬送部材４０４とが対向するトナー移送領域Ａ３にトナー移送電界を形成するためのトナー移送バイアスＶｔを印加するトナー移送電源５１０が接続されている。本実施形態２では、トナー１０が負極性に帯電しているので、このトナー移送電界は、負極性のトナーが第１撹拌搬送部材４０４側からブラシローラ５０３へ移動するように形成される。具体的には、本実施形態２におけるブラシローラ５０３に印加されるトナー供給バイアスＶｓは上述したように−４５０［Ｖ］以上−５００［Ｖ］以下の範囲であるので、トナー移送バイアスＶｄはトナー供給バイアスＶｓよりも２００［Ｖ］以上５００［Ｖ］以下の範囲で大きい値、すなわたい−６５０［Ｖ］以上−１０００［Ｖ］以下の範囲内に設定される。
【００３９】
このようにトナー移送領域Ａ３にトナー移送電界を形成することで、第１撹拌搬送部材４０４による撹拌搬送中の現像剤１２内のトナー１０は、トナー移送電界の作用を受けてブラシローラ５０３へ移動し、これに担持される。すなわち、ブラシローラ５０３に担持されるのは、トナー１０のみであって、磁性粒子１１は担持されない。よって、本実施形態２では、磁性粒子１１は撹拌領域内でトナーを帯電させるために用いられるものであるため、必ずしも磁性を持つ必要はない。このようにしてブラシローラ５０３に担持されたトナーはブラシローラ４０３の回転中にブラシ表面と接触して、より帯電量をアップさせる。
【００４０】
また、本実施形態２では、上記トナー移送領域Ａ３から上記トナー供給領域Ａ２までの間でブラシローラ５０３のブラシ４１１に当接するように、帯電促進部材としての規制ローラ５０６が設けられている。この規制ローラ５０６は、硬度がアスカーＣで１０［゜］以上３０［゜］以下であるゴム材料により形成されたものである。これは、硬度を低くしてブラシローラ４０３上のブラシ４１１の出っ張りを吸収して均一な当接状態を得るためである。本実施形態２における規制ローラ５０６は、ローラ径が１４［ｍｍ］であり、２１０［ｍｍ］幅の線圧が８［ｇｆ／ｍｍ］以上１６［ｇｆ／ｍｍ］以下となるような力でブラシローラ５０３のブラシ４１１に当接している。また、規制ローラ５０６は、ブラシローラ４０３との当接領域においてブラシローラ４０３の表面移動方向とは逆方向に表面移動するように、図中矢印ｄの方向に回転駆動している。その回転数は２０［ｒｐｍ］以上８０［ｒｐｍ］以下である。このような規制ローラ５０６を設けることで、規制ローラ５０６の表面とブラシ表面との間に挟まれたトナー１０が摩擦帯電を起こし、更にトナー１０の帯電量をアップさせることができる。
【００４１】
以上、本実施形態２によれば、第１撹拌搬送部材４０４で撹拌された現像剤１２中のトナー１０をトナー移送電界によりブラシローラ５０３上に移動させた後、ブラシローラ５０３上に担持されたトナー１０をトナー供給電界により現像ローラ４０２上へ移動させる。これらのトナー移送電界及びトナー供給電界は、正規の帯電極性（負極性）に帯電しているトナーを移動させるものであるため、トナー移送領域及びトナー供給領域において正極性とは逆極性に帯電した逆帯電トナーの移動は制限される。このようなフィルタ機能は、トナー移送領域及びトナー供給領域の２箇所で発揮される結果、このような箇所が１箇所しかない従来構成に比べて、現像ローラ４０２上に供給される逆帯電トナーの量を減らすことができる。
なお、本実施形態２においては、トナー供給部材として、必ずしもブラシローラ５０３を用いる必要はなく、ブラシ４１１がない平らな表面を有する一般的なローラやベルト等を用いることも可能である。ただし、トナー供給部材上に現像剤１２中のトナー１０だけを担持する構成である場合、トナーを担持し得る総担持表面積が、トナー供給部材上に現像剤１２を担持する構成に比べて小さく、担持できるトナー量が少なくなる。これに対し、本実施形態２のようにトナー供給部材としてブラシローラ５０３を用いれば、ブラシ４１１がない構成に比べて、そのブラシ４１１の各毛の表面積分だけトナー１０を担持し得る総担持表面積が増え、担持できるトナー量が増える。
【００４２】
〔実験例〕
次に、上記実施形態２の現像装置における現像ローラ４０２上のトナー１０の粒径及び帯電量分布と画像品質との関係を測定した実験結果について説明する。
トナー１０の粒径及び帯電量分布の測定には、Ｅ−ＳＰＡＲＴ  ＡＮＡＬＹＺＥＲ（ホソカワミクロン株式会社製の分析装置であり、以下「Ｅ−ＳＰＡＲＴ分析装置」という。）を使用した。このＥ−ＳＰＡＲＴ分析装置は、二重ビーム周波数偏移型レーザードップラー速度計と静電界中で粒子の動きを摂動させる弾性波とを用いた方法を採用し、現像ローラ４０２上のトナー１０にエアを吹き付けて飛ばし、電界中の動きを捉えることでトナー個々の粒径と帯電量のデータを得られるものである。本確認実験では３０００個のトナーをサンプリングして分布の相違を見た。
【００４３】
ここで、各トナーにおいて帯電量がトナー全体にわたって均一にならば、トナー帯電量はトナー粒径の３乗に比例するが、実際にはトナー粒径そのものに比例している。このようにトナー帯電量とトナー粒径とが比例関係にあるため、本実験例では、主としてトナーの帯電量ｑを粒径ｄで除した値、すなわちトナー粒径の影響をなくした（ｑ／ｄ）の値についてトナーの個数分布を測定した。
【００４４】
図９は、本実験例の実験結果を示すグラフである。
本実験例では、現像ローラ４０２上に担持されたトナー１０と、トナー供給領域Ａ２を通過する前のブラシローラ５０３上のトナー１０と、第１撹拌搬送部材４０４による撹拌領域内のトナー１０とについて、それぞれ上記Ｅ−ＳＰＡＲＴ分析装置を用いてトナー帯電量（ｑ／ｄ）の個数分布を測定した。図９からわかるように、ブラシローラ５０３上のトナー１０の逆帯電量率は２１．４［％］であるのに対し、本実施形態１の現像装置の現像ローラ４０２に担持されているトナー１０の逆帯電量率は６．１％と極めて少なかった。これは、ブラシローラ５０３上のトナー１０のうち正規帯電したトナーがトナー供給電界の作用により選択的に現像ローラ４０２上へ移動したことに起因するものと考えられる。
一方、撹拌領域における現像剤１２内のトナー１０の逆帯電量率は約４０．２［％］とかなり大きい。ブラシローラ５０３上のトナーの逆帯電量率は、２１．４％であるので、撹拌領域内のトナーの逆帯電量率のおよそ半分にまで低減している。これは、撹拌領域内のトナーのうち正規帯電したトナーがトナー移送電界の作用により選択的にブラシローラ５０３上へ移動したことに起因するものと考えられる。
また、本実施形態１の現像装置を用いて画像形成を行った結果、地汚れ等の問題もなく、高品質の画像を得ることができた。
【００４５】
以上、上述した実施形態１及び実施形態２に係る画像形成装置としてのプリンタは、潜像担持体としての感光体１と、感光体１の表面を一様に帯電し画像情報に基づいて該表面に光を照射することにより潜像を形成する潜像形成手段としての帯電装置２及び露光装置３と、感光体１上の潜像を現像してトナー像とする現像装置４と、感光体１上のトナー像を記録材としての転写紙２０に転写する転写装置５とを備えている。また、現像装置４は、感光体１に対向する現像領域Ａ１にトナー１０を搬送するトナー担持体としての現像ローラ４０２と、トナー１０とキャリアである磁性粒子１１とを含む現像剤１２を撹拌する撹拌部材としての撹拌搬送部材４０４，４０５と、これらの撹拌搬送部材で撹拌された現像剤１２又はその現像剤１２中のトナーを担持して現像ローラ４０２に対向するトナー供給領域Ａ２に搬送し、トナー１０を現像ローラ４０２に供給するトナー供給部材と、現像ローラ４０２に現像バイアスを印加する現像電源４０９と、トナー供給領域Ａ２にトナー供給部材に担持されているトナーを現像ローラ４０２へ移動させるトナー供給電界を形成するためのトナー供給バイアスをトナー供給部材に印加するトナー供給電源４１０とを有している。そして、トナー供給部材として、表面にブラシが形成されたブラシ部材であるブラシローラ４０３，５０３を用いている。これにより、上述したように、トナー供給領域Ａ２でトナー１０が受ける機械的ストレスが、ブラシ４１１がない場合に比べてずっと少なく抑えることができる。
また、実施形態１においては、キャリアとして磁性粒子１１を用い、ブラシローラ４０３は、内部に磁界発生手段としての磁石部材４０７を備え、その磁石部材４０７が発生させる磁界の作用により撹拌搬送部材４０４，４０５で撹拌された現像剤１２を担持する。よって、ブラシローラ４０３上には磁気ブラシが形成されるが、ブラシ４１１の毛がその現像剤１２中に介在する結果、磁気ブラシの凝集密度は低下するので、磁気ブラシの硬さは従来よりも柔らかくなる。よって、ブラシローラ４０３上に磁気ブラシを形成する構成においても、トナー供給領域Ａ２でトナー１０が受ける機械的ストレスを低下させることができる。
また、実施形態２においては、第１撹拌搬送部材４０４とブラシローラ５０３との間に撹拌領域内のトナー１０をブラシローラ５０３へ移動させるトナー移送電界を形成するためのトナー移送バイアスを第１撹拌搬送部材４０４に印加するトナー移送電源５１０を有している。これにより、上述したように、逆帯電トナーの移動は制限して正規帯電トナーと逆帯電トナーとを仕分けする箇所が少なくとも２箇所（トナー移送領域及びトナー供給領域）存在するので、このような箇所が１箇所しかない従来構成に比べて、ブラシローラ５０３上に供給される逆帯電トナーの量を減らすことができる。その結果、逆帯電トナーが現像領域に搬送されることによる地汚れ等の不具合を抑制することができる。
また、実施形態２においては、ブラシローラ５０３に担持されたトナー１０に圧力を加えてトナーの帯電を促進させる帯電促進部材としての規制ローラ５０６を有している。これにより、ブラシローラ上のトナー１０がトナー供給領域に搬送される前に、そのトナーの帯電量をアップさせることができる。特に、この帯電促進部材としての規制ローラ５０６は、ブラシローラ５０３に対向配置されるローラ部材であるので、ブラシローラ５０３上のトナー量を均一化することが容易となる。なお、このような帯電促進部材は、上記実施形態１にも適用することができる。
また、上記変形例で説明したように、感光体１の表面エネルギーを低減させる手段として、感光体表面の最大静止摩擦係数μを低減させる潤滑剤を塗布する手段等を用いれば、地汚れの抑制効果が高まる。
また、上述した実施形態１及び実施形態２においては、トナー１０として、円形度が９０［％］以上９７［％］以下であるトナー粒子の含有率が８０％を超えるものを用いている。これにより、逆帯電トナーの量を少なく抑えることができる結果、逆帯電トナーによる地汚れ等の不具合が抑制される。
【００４６】
尚、上記実施形態１や上記実施形態２では、感光体１上に形成したトナー像を転写紙２０に直接転写する場合について説明したが、本発明は、感光体上のトナー像を一旦中間転写体に転写し、その後、該中間転写体上のトナー像を転写紙に転写する画像形成装置及びそれに用いる現像装置にも適用できるものである。
例えば、一つの感光体上に各色ごとのトナー像を順次形成し、該感光体上の各色トナー像を一次転写装置で中間転写体としての中間転写ベルトに重ね合わせて転写し、該中間転写ベルト上の重ねトナー像を２次転写装置で転写紙に一括転写するカラー画像形成装置及び該装置に用いる現像装置にも適用することができる。
また例えば、中間転写体としての中間転写ベルトの直線状の移動経路部分に沿って感光体を含む画像形成ユニットを複数組並べて配置し、各画像形成ユニットの感光体上に互いに異なる色のトナー像を形成し、各感光体上のトナー像を一次転写装置で該中間転写ベルト上に重ね合わせて転写し、該中間転写ベルト上の重ねトナー像を２次転写装置で転写紙に一括転写するタンデム型のカラー画像形成装置及び該装置に用いる現像装置にも適用することができる。
また、上記実施形態１や上記実施形態２では、プリンタを例に挙げて説明したが、本発明は、複写機やＦＡＸなど他の画像形成装置にも適用できるものである。
【図面の簡単な説明】
【００４７】
【図１】実施形態１に係るプリンタに用いる現像装置の概略構成を示す説明図。
【図２】同プリンタの概略構成図。
【図３】同プリンタに用いることができるプロセスユニットの部分斜視図。
【図４】（ａ）及び（ｂ）は、現像ローラの表面部の体積抵抗率測定システムの説明図。
【図５】現像剤の磁性粒子のダイナミック抵抗測定システムの説明図。
【図６】同現像装置に設けられるブラシローラ周辺の概略構成を示す説明図。
【図７】感光体表面の最大静止摩擦係数μの測定システムの説明図。
【図８】実施形態２の現像装置におけるブラシローラ周辺の概略構成を示す説明図。
【図９】実験例の実験結果を示すグラフ。
【符号の説明】
【００４８】
１  感光体
２  帯電装置
３  露光装置
４  現像装置
５  転写装置
１０  トナー
１１  磁性粒子
１２  二成分現像剤
４０２  現像ローラ
４０３，５０３  ブラシローラ
４０４，４０５  撹拌搬送部材
４０７  磁石部材
４０８  スリーブ
４０９  現像電源
４１０  トナー供給電源
４１１  ブラシ
５０６  規制ローラ
５１０  トナー移送電源
Ａ１  現像領域
Ａ２  トナー供給領域
Ａ３  トナー移送領域
【図１】
0004815168.tif 000003
【図２】
0004815168.tif 000004
【図３】
0004815168.tif 000005
【図４】
0004815168.tif 000006
【図５】
0004815168.tif 000007
【図６】
0004815168.tif 000008
【図７】
0004815168.tif 000009
【図８】
0004815168.tif 000010
【図９】
0004815168.tif 000011